(57)【特許請求の範囲】
【請求項１】
光源部と、
前記光源部による光源光を利用して画像を投射する画像投射部と、
前記光源部の状態を表す測定結果を出力する光源状態測定部と、
前記画像投射部を制御する投射画像制御部と
を備え、
前記投射画像制御部は、
前記光源部への電力の供給後において前記画像投射部に入力画像を投射させる前に前記入力画像と異なる所定の待機画像を投射させる時間である待機画像投射時間を、前記光源状態測定部による測定結果に基づいて制御し、
前記測定結果が基準値未満であった場合、所定の第１の待機画像投射時間を経過する迄、前記画像投射部に前記待機画像を投射させ、
前記測定結果が基準値以上であった場合、前記第１の待機画像投射時間よりも短い所定の第２の待機画像投射時間を経過する迄、前記画像投射部に前記待機画像を投射させることを特徴とするプロジェクター。
【請求項２】
前記光源状態測定部は、前記光源部の温度に対応する情報を前記測定結果として出力する温度測定部を有することを特徴とする請求項１に記載のプロジェクター。
【請求項３】
前記光源状態測定部は、前記光源光の照度に対応する情報を前記測定結果として出力する照度測定部を有することを特徴とする請求項１又は２に記載のプロジェクター。
【請求項４】
前記投射画像制御部は、
前記測定結果が基準値未満である間、前記画像投射部に前記待機画像を投射させることを特徴とする請求項１〜３のいずれか一項に記載のプロジェクター。
【請求項５】
光源部と前記光源部による光源光を利用して画像を投射する画像投射部とを備えるプロジェクターにおける投射制御方法であって、前記プロジェクターの光源状態測定手段が、前記光源部の状態を測定して測定結果を出力し、前記プロジェクターの投射画像制御手段が、前記光源部への電力の供給後において前記画像投射部に入力画像を投射させる前に前記入力画像と異なる所定の待機画像を投射させる時間である待機画像投射時間を、前記測定結果に基づいて制御し、前記測定結果が基準値未満であった場合、所定の第１の待機画像投射時間を経過する迄、前記画像投射部に前記待機画像を投射させ、前記測定結果が基準値以上であった場合、前記第１の待機画像投射時間よりも短い所定の第２の待機画像投射時間を経過する迄、前記画像投射部に前記待機画像を投射させることを特徴とする投射制御方法。
【請求項６】
前記測定結果は、前記光源部の温度に対応する情報であることを特徴とする請求項５に記載の投写制御方法。
【請求項７】
前記測定結果は、前記光源光の照度に対応する情報であることを特徴とする請求項５又は６に記載の投写制御方法。
【発明の詳細な説明】
【技術分野】
【０００１】
本発明は、プロジェクター、投射制御方法に関するものである。
【背景技術】
【０００２】
従来、プロジェクターは、起動時から水銀ランプなどの光源が安定する迄の間の一定時間、ユーザーが投射しようとするソース画像（以下、「入力画像」とも称する）とは異なる所定の画像（以下、「待機画像」又は「マスクパターン画像」とも称する）をスクリーンに投射している（例えば、特許文献１参照）。待機画像としては、光源が安定していないときにスクリーンに表示された場合に、光源が安定していないことをユーザーが認識し難い画像を使用する。これにより、起動後にスペクトルが安定する迄に時間を要する水銀ランプなどの光源を採用しても、スペクトルが安定する迄の暫くの間は、スクリーン上には光源が安定していないことをユーザーが認識し難い待機画像が表示されるため、ユーザーに光源が安定していないことを意識させないという効果があった。
【先行技術文献】
【特許文献】
【０００３】
【特許文献１】特開２００９−１４５８４４号公報
【発明の概要】
【発明が解決しようとする課題】
【０００４】
しかしながら、起動後の一定時間、待機画像を表示するという態様では、光源のスペクトルがすぐに安定したときであっても、当該一定時間を経過する迄は起動画像が表示され、入力画像がすぐには表示されないという問題がある。
【０００５】
本発明はこのような事情に鑑みてなされたものであって、起動時に、光源が安定していないことをユーザーに意識させないようにしつつ、入力画像を投射する迄の時間を短縮させるプロジェクター、投射制御方法を提供することを目的とする。
【課題を解決するための手段】
【０００６】
上記問題を解決するために、本発明の一態様であるプロジェクターは、光源部と、前記光源部による光源光を利用して画像を投射する画像投射部と、前記光源部の状態を表す測定結果を出力する光源状態測定部と、前記画像投射部を制御する投射画像制御部とを備え、前記投射画像制御部は、前記光源部への電力の供給後において前記画像投射部に入力画像を投射させる前に前記入力画像と異なる所定の待機画像を投射させる時間である待機画像投射時間を、前記光源状態測定部による測定結果に基づいて制御することを特徴とする。
上記構成によれば、起動時に、光源が安定していないことをユーザーに意識させないようにしつつ、入力画像を投射する迄の時間を短縮させることができる。即ち、起動時のある時点に、光源部の状態、即ちスペクトルの安定／不安定の程度を光源状態測定部による測定結果として把握し、当該測定結果に応じて、待機画像投射時間を自動調整しているからである。つまり、スペクトルが安定する迄に時間を要するような状態を表す測定結果を得たときは、長めの待機画像投射時間を設定して、光源が安定していないことをユーザーに意識させないようにしつつ、スペクトルが安定する迄に余り時間を要しないような状態を表す測定結果を得たときは、短めの待機画像投射時間を設定し、なるべく早く入力画像を見せることができる。
【０００７】
上記プロジェクターにおいて、前記光源状態測定部は、前記光源部の温度に対応する情報を前記測定結果として出力する温度測定部を有するものであってもよい。
上記構成によれば、起動時に、光源が安定していないことをユーザーに意識させないようにしつつ、入力画像を投射する迄の時間を短縮させることができる。なぜならば、温度測定部が測定する光源部の近傍の温度は、起動時における光源光のスペクトルの安定／不安定と相関があるため、光源部の近傍の温度からスペクトルの安定／不安定を把握することができるからである。即ち、起動時のある時点に、光源部の状態、即ちスペクトルの安定／不安定の程度を温度測定部による測定温度として把握し、当該測定温度に応じて、待機画像投射時間を自動調整しているからである。つまり、スペクトルが安定する迄に時間を要するような状態を表す測定温度であったときは、長めの待機画像投射時間を設定して、光源が安定していないことをユーザーに意識させないようにしつつ、スペクトルが安定する迄に余り時間を要しないような状態を表す測定温度であったときは、短めの待機画像投射時間を設定し、なるべく早く入力画像を見せることができる。
【０００８】
上記プロジェクターにおいて、前記光源状態測定部は、前記光源光の照度に対応する情報を前記測定結果として出力する照度測定部を有するものであってもよい。
上記構成によれば、起動時に、光源が安定していないことをユーザーに意識させないようにしつつ、入力画像を投射する迄の時間を短縮させることができる。なぜならば、照度測定部が測定する光源光の照度は、起動時における光源光のスペクトルの安定／不安定と相関があるため、光源光の照度からスペクトルの安定／不安定を把握することができるからである。即ち、起動時のある時点に、光源部の状態、即ちスペクトルの安定／不安定の程度を照度測定部による測定照度として把握し、当該測定照度に応じて、待機画像投射時間を自動調整しているからである。つまり、スペクトルが安定する迄に時間を要するような状態を表す測定照度であったときは、長めの待機画像投射時間を設定して、光源が安定していないことをユーザーに意識させないようにしつつ、スペクトルが安定する迄に余り時間を要しないような状態を表す測定照度であったときは、短めの待機画像投射時間を設定し、なるべく早く入力画像を見せることができる。
【０００９】
上記プロジェクターにおいて、前記投射画像制御部は、前記測定結果が基準値未満であった場合、所定の第１の待機画像投射時間を経過する迄、前記画像投射部に前記待機画像を投射させ、前記測定結果が基準値以上であった場合、前記第１の待機画像投射時間よりも短い所定の第２の待機画像投射時間を経過する迄、前記画像投射部に前記待機画像を投射させるようにしてもよい。
上記構成によれば、起動時に、光源が安定していないことをユーザーに意識させないようにしつつ、入力画像を投射する迄の時間を短縮させることができる。なぜならば、スペクトルが安定する前のある時刻の光源部の状態を表す基準値と、当該基準値においてスペクトルが安定する迄に要する基準時間（第１の待機画像投射時間）とを保持しておき、例えば、光源状態測定部による測定結果が上記基準値未満であれば、上記基準時間を待機画像投射時間とし、測定結果が上記基準値以上であれば、上記基準時間未満の時間（第２の待機画像投射時間）を待機画像投射時間とすることができるからである。例えば、基準測定温度／基準測定照度よりも低い測定温度／測定照度であったときは、第１の待機画像投射時間を設定して、光源が安定していないことをユーザーに意識させないようにしつつ、基準測定温度／基準測定照度よりも高い測定温度／測定照度であったときは、第２の待機画像投射時間を設定し、なるべく早く入力画像を見せることができる。
【００１０】
上記プロジェクターにおいて、前記投射画像制御部は、前記測定結果が基準値未満である間、前記画像投射部に前記待機画像を投射させるようにしてもよい。
上記構成によれば、起動時に、光源が安定していないことをユーザーに意識させないようにしつつ、入力画像を投射する迄の時間を短縮させることができる。なぜならば、スペクトルが安定しているときの光源部の状態を表す基準値を保持しておき、光源状態測定部による測定結果が上記基準値未満である間は、待機画像を表示して、光源が安定していないことをユーザーに意識させないようにしつつ、測定結果が基準値以上になってスペクトルが安定したときに、待機画像の表示を止めるため、なるべく早く入力画像を見せることができるからである。例えば、測定温度／測定照度が基準測定温度／基準測定照度未満である間は、待機画像を表示して、光源が安定していないことをユーザーに意識させないようにしつつ、測定温度／測定照度が基準値以上になってスペクトルが安定したときに、待機画像の表示を止めるため、なるべく早く入力画像を見せることができる。
【００１１】
上記問題を解決するために、本発明の他の態様である投射制御方法は、光源部と前記光源部による光源光を利用して画像を投射する画像投射部とを備えるプロジェクターにおける投射制御方法であって、前記プロジェクターの光源状態測定手段が、前記光源部の状態を測定して測定結果を出力し、前記プロジェクターの投射画像制御手段が、前記光源部への電力の供給後において前記画像投射部に入力画像を投射させる前に前記入力画像と異なる所定の待機画像を投射させる時間である待機画像投射時間を、前記測定結果に基づいて制御することを特徴とする。
上記構成によれば、上述した本発明の一態様であるプロジェクターと同様、投射画像制御部は、光源状態測定部によって測定された測定結果に基づいて待機画像投射時間を制御するため、起動時に、光源が安定していないことをユーザーに意識させないようにしつつ、なるべく早く入力画像を見せることができる。
【００１２】
上記投射制御方法において、前記測定結果は、前記光源部の温度に対応する情報であってもよい。
上記構成によれば、上述した本発明の一態様であるプロジェクターと同様、スペクトルが安定する迄に時間を要するような状態を表す測定温度であったときは、長めの待機画像投射時間を設定して、光源が安定していないことをユーザーに意識させないようにしつつ、スペクトルが安定する迄に余り時間を要しないような状態を表す測定温度であったときは、短めの待機画像投射時間を設定し、なるべく早く入力画像を見せることができる。
【００１３】
上記投射制御方法において、前記測定結果は、前記光源光の照度に対応する情報であってもよい。
上記構成によれば、上述した本発明の一態様であるプロジェクターと同様、スペクトルが安定する迄に時間を要するような状態を表す測定照度であったときは、長めの待機画像投射時間を設定して、光源が安定していないことをユーザーに意識させないようにしつつ、スペクトルが安定する迄に余り時間を要しないような状態を表す測定照度であったときは、短めの待機画像投射時間を設定し、なるべく早く入力画像を見せることができる。
【図面の簡単な説明】
【００１４】
【図１】本発明の第１の実施形態に係るプロジェクターの概略構成図である。
【図２】本発明の第１の実施形態に係るプロジェクターの機能ブロック図である。
【図３】本発明の第１の実施形態に係るプロジェクターの動作の一例を示すフローチャートである。
【図４】本発明の第１の実施形態に係るプロジェクターの他の動作の例を示すフローチャートである。
【図５】本発明の第１の実施形態に係るプロジェクターの他の動作の例を示すフローチャートである。
【図６】本発明の第２の実施形態に係るプロジェクターの概略構成図である。
【図７】本発明の第２の実施形態に係るプロジェクターの機能ブロック図である。
【発明を実施するための形態】
【００１５】
（第１の実施形態）
以下、本発明の第１の実施形態について図面を参照して詳細に説明する。図１は、本発明の第１の実施形態に係るプロジェクターの概略構成図である。
【００１６】
図１に示すように、第１の実施形態に係るプロジェクター１は、照明部１０、画像投射部５０、光源状態測定部６０、ランプ駆動回路７０、投射画像制御部８０を有する。光源状態測定部６０は、温度センサー６２（温度測定部）を有する。
【００１７】
照明部１０は、光源部１１、第１フライアイレンズ１２、第２フライアイレンズ１３を有する。光源部１１は、高圧水銀ランプ或いはメタルハライドランプ等からなるランプ１４と、ランプ１４の光を反射するリフレクター１５とから構成されている。各フライアイレンズ１２、１３は、複数のレンズ１６、１７から構成されている。各フライアイレンズ１２、１３は、光源光の照度分布を被照明領域である透過型液晶ライトバルブ３０〜３２（後述）において均一化させるための均一照明手段として機能する。
【００１８】
画像投射部５０は、色分離合成部２０と投射光学系４０とから構成され、光源部１１による光源光を利用して画像をスクリーン９に投射する。
【００１９】
色分離合成部２０は、ダイクロイックミラー２１、２２、反射ミラー２３〜２５、リレーレンズ２６〜２８、Ｒ（赤）、Ｇ（緑）、Ｂ（青）の異なる色毎に透過型液晶ライトバルブ（光変調装置）３０〜３２、クロスダイクロイックプリズム３３を有する。光源部１１から射出された光は、フライアイレンズ１２、１３によって被照明領域である透過型液晶ライトバルブ３０〜３２において照度分布を均一化される。
【００２０】
ダイクロイックミラー２１、２２は、例えばガラス表面に誘電体多層膜を積層したもので、所定の色光を選択的に反射し、それ以外の波長の光を透過するようになっている。すなわち、青色光・緑色光反射のダイクロイックミラー２１は、光源部１１からの光束のうちの赤色光ＬＲを透過させるとともに、青色光ＬＢと緑色光ＬＧとを反射するようになっている。また、緑色光反射のダイクロイックミラー２２は、ダイクロイックミラー２１で反射された青色光ＬＢと緑色光ＬＧの内、青色光ＬＢを透過し緑色光ＬＧを反射するようになっている。
【００２１】
これにより、照明部１０から入射された光の内、赤色光ＬＲはダイクロイックミラー２１を透過した後、反射ミラー２５で反射され、赤色光用透過型液晶ライトバルブ３０に入射される。緑色光ＬＧは、ダイクロイックミラー２２で反射されて緑色光用透過型液晶ライトバルブ３１に入射される。青色光ＬＢは、ダイクロイックミラー２２を透過した後、リレーレンズ２６、反射ミラー２３、リレーレンズ２７、反射ミラー２４、リレーレンズ２８からなるリレー系２９を経て、青色光用透過型液晶ライトバルブ３２に入射されるようになっている。
【００２２】
透過型液晶ライトバルブ３０〜３２は、例えばアクティブマトリクス型の透過型液晶装置として構成され、信号処理された映像信号に基づいて駆動されるようになっている。そして、各透過型液晶ライトバルブ３０〜３２で変調された色光ＬＲ、ＬＧ、ＬＢは、クロスダイクロイックプリズム３３に入射されるようになっている。
【００２３】
クロスダイクロイックプリズム３３は、直角プリズムが貼り合わされた構造となっており、その内面に赤色光ＬＲを反射するミラー面と青色光ＬＢを反射するミラー面とが十字状に形成されている。そして、三つの色光ＬＲ、ＬＧ、ＬＢがこれらのミラー面によって合成されてカラー画像を表わす光が形成された後、投射レンズ４８によりスクリーン９上に拡大投射されるようになっている。つまり、画像投射部５０は、光源部１１による光源光を利用して画像をスクリーンに投射する。
【００２４】
投射光学系４０は、投射レンズ４８を有する。光源部の状態を表す測定結果を出力する。光源状態測定部６０は、光源部１１の状態（スペクトルの安定／不安定の程度）を表す測定結果を出力する。より詳細には、光源状態測定部６０が有する温度センサー６２が、測定結果として、光源部１１の温度に対応する情報を出力する。より詳細には、温度センサー６２は、光源部１１の温度に対応する情報として、光源部１１の近傍の温度を測定し、測定温度を出力する。ランプ駆動回路７０は、ランプ１４を駆動させる。投射画像制御部８０については、図２を用いて説明する。
【００２５】
図２は、本発明の第１の実施形態に係るプロジェクターの機能ブロック図である。図２の破線枠内は、照明部１０及び画像投射部５０のうちの一部を示している。図２に示すように、投射画像制御部８０は、ＣＰＵ８２、ＯＳＤ生成回路８４、スイッチ８５及びパネル駆動回路８６を備え、画像投射部５０を制御する。具体的には、投射画像制御部８０は、待機画像（マスクパターン画像）を投射させる時間である待機画像投射時間を、温度センサー６２による光源部１１の近傍の温度の測定結果（測定値）に基づいて制御する。待機画像とは、光源部１１（ランプ１４）への電力の供給後であって入力画像をスクリーン９に投射する前に、スクリーン９に投射する入力画像とは異なる画像である。
【００２６】
以下、詳細に説明する。ＯＳＤ生成回路８４は、ＣＰＵ８２の制御（詳細は後述）に従って、所定の待機画像を生成する。例えば、ＯＳＤ生成回路８４が生成する待機画像は、スクリーン９に投射されたときに光源が安定していないことをユーザーが認識し難い画像であって、例えば、黒色若しくは黒色に近い濃色の背景色の画像が好ましい。なお、一例として、図２に、黒背景に「ＳＴＡＲＴ」の文字を配した待機画像を示している。ＯＳＤ生成回路８４は、ＣＰＵ８２の制御（詳細は後述）に従って、生成した待機画像を、スイッチ８５を介してパネル駆動回路８６に供給する。
【００２７】
スイッチ８５は、ＣＰＵ８２の制御（詳細は後述）に従って、投射画像制御部８０の外部から供給された入力画像と、ＯＳＤ生成回路８４から供給された待機画像とを切り替えて、パネル駆動回路８６に供給する。
【００２８】
パネル駆動回路８６は、ＣＰＵ８２の制御（詳細は後述）に従ってＯＳＤ生成回路８４からスイッチ８５を介して供給された待機画像、又は、外部からスイッチ８５を介して供給された入力画像を透過型液晶ライトバルブ３０〜３２に出力する。なお、透過型液晶ライトバルブ３０〜３２に出力された待機画像又は入力画像は、光源部１１による光源光を利用して、画像投射部５０によってスクリーン９に投射される。
【００２９】
ＣＰＵ８２は、上述の如く、投射画像制御部８０が備えるＣＰＵ８２以外の他の回路（ＯＳＤ生成回路８４、スイッチ８５及びパネル駆動回路８６）を制御する。また、ＣＰＵ８２は、ランプ駆動回路８０を制御する。また、ＣＰＵ８２は、温度センサー６２から上述の測定結果を取得する。
【００３０】
具体的には、ＣＰＵ８２は、プロジェクター１の電源起動時に、まず、ＯＳＤ生成回路８４に待機画像を生成するように命令する。ＣＰＵ８２は、ＯＳＤ生成回路８４から供給される待機画像をパネル駆動回路８６に供給するようにスイッチ８５に命令する。ＣＰＵ８２は、待機画像を透過型液晶ライトバルブ３０〜３２に出力するようにパネル駆動回路８６に命令する。ＣＰＵ８２は、ランプ駆動回路８０に起動信号を送信してランプ１４を点燈させる。これにより、透過型液晶ライトバルブ３０〜３２に出力された待機画像は、画像投射部５０によってスクリーン９に投射される。
【００３１】
続いて、ＣＰＵ８２は、光源部１１の近傍の温度の測定結果を温度センサー６２から取得する。ＣＰＵ８２は、温度センサー６２から取得した測定結果が基準値（閾値）未満であった場合、所定の第１の待機画像投射時間を経過する迄、画像投射部５０に待機画像を投射させる。換言すれば、ＣＰＵ８２は、上記測定結果が基準値未満であった場合、第１の待機画像投射時間の経過後に、外部から供給される入力画像をパネル駆動回路８６に供給するようにスイッチ８５に命令するとともに、入力画像を透過型液晶ライトバルブ３０〜３２に出力するようにパネル駆動回路８６に命令する。
【００３２】
一方、ＣＰＵ８２は、上記測定結果が基準値以上であった場合、第１の待機画像投射時間よりも短い所定の第２の待機画像投射時間を経過する迄、画像投射部５０に待機画像を投射させる。換言すれば、ＣＰＵ８２は、上記測定結果が基準値以上であった場合、第１の待機画像投射時間よりも短い第２の待機画像投射時間の経過後に、外部から供給される入力画像をパネル駆動回路８６に供給するようにスイッチ８５に命令するとともに、入力画像を透過型液晶ライトバルブ３０〜３２に出力するようにパネル駆動回路８６に命令する。
【００３３】
つまり、ＣＰＵ８２は、測定温度と、ランプ１４が安定する迄に時間が掛かると判定するための予め定めた基準温度とを比較し、測定温度＜基準温度であったときは、即ち、ランプ１４が安定する迄に時間が掛かると判定したときは、ランプ１４が安定する迄に要する時間として予め定めた長めの待機画像投射時間（第１の待機画像投射時間）の経過時に待機画像の投射を解除し、入力画像をスクリーン９に投射させるようにし、測定温度≧基準温度であったときは、即ち、ランプ１４が安定する迄に時間が掛からないと判定したときは、ランプ１４が安定する迄に要する時間として予め定めた短めの待機画像投射時間（第２の待機画像投射時間）の経過時に待機画像の投射を解除し、入力画像をスクリーン９に投射させるようにしている。なお、第２の待機画像投射時間は、第１の待機画像投射時間よりも短い時間である。
【００３４】
以下、図３を用いてプロジェクター１の動作を説明する。図３は、プロジェクター１の動作の一例を示すフローチャートである。なお、図３に示すフローチャートは、プロジェクター１の電源起動時に開始する。
【００３５】
図３において、ＣＰＵ８２は、ＯＳＤ生成回路８４にマスクパターン画像を生成するように命令するとともに、スイッチ８５にＯＳＤ生成回路８４から供給されるマスクパターン画像をパネル駆動回路８６に供給するように命令する。また、ＣＰＵ８２は、ＣＰＵ８２は、パネル駆動回路８６にマスクパターン画像を透過型液晶ライトバルブ３０〜３２に出力するように命令する。これにより、パネル駆動回路８６は、マスクパターン画像を透過型液晶ライトバルブ３０〜３２に出力する（ステップＳ１０）。
【００３６】
続いて、ＣＰＵ８２は、ランプ駆動回路８０に起動信号を送信してランプ１４を点燈させる（ステップＳ１２）。これにより、画像投射部５０は、透過型液晶ライトバルブ３０〜３２に出力されたマスクパターン画像をスクリーン９に投射する。
【００３７】
続いて、光源状態測定部６０は、光源部１１の状態を測定する（ステップＳ１４）。光源状態測定部６０は、測定結果をＣＰＵ８２に出力する。ＣＰＵ８２は、光源状態測定部６０から取得した測定結果が閾値以上であるか否かを判断する（ステップＳ１６）。
【００３８】
ステップＳ１６において、ＣＰＵ８２は、光源状態測定部６０から取得した測定結果が閾値以上でないと判断した場合（ステップＳ１６：Ｎｏ）、予め設定しておいた第１の待機画像投射時間を経過したか否かを判断する（ステップＳ１８）。ＣＰＵ８２は、第１の待機画像投射時間を経過したと判断した場合（ステップＳ１８：Ｙｅｓ）、ステップＳ２４に進む。一方、ＣＰＵ８２は、第１の待機画像投射時間を経過していないと判断した場合（ステップＳ１８：Ｎｏ）、第１の待機画像投射時間を経過したと判断する迄、ステップＳ１８を繰り返す。
【００３９】
一方、ステップＳ１６において、ＣＰＵ８２は、光源状態測定部６０から取得した測定結果が閾値以上であると判断した場合（ステップＳ１６：Ｙｅｓ）、予め設定しておいた第２の待機画像投射時間を経過したか否かを判断する（ステップＳ２０）。ＣＰＵ８２は、第２の待機画像投射時間を経過したと判断した場合（ステップＳ２０：Ｙｅｓ）、ステップＳ２４に進む。一方、ＣＰＵ８２は、第２の待機画像投射時間を経過していないと判断した場合（ステップＳ２０：Ｎｏ）、第２の待機画像投射時間を経過したと判断する迄、ステップＳ２０を繰り返す。
【００４０】
ステップＳ１８（Ｙｅｓ）又はステップＳ２０（Ｙｅｓ）に続いて、ＣＰＵ８２は、外部から供給される入力画像をパネル駆動回路８６に供給するようにスイッチ８５に命令するとともに、入力画像を透過型液晶ライトバルブ３０〜３２に出力するようにパネル駆動回路８６に命令する。これにより、パネル駆動回路８６は、マスクパターン画像に代えて入力画像を透過型液晶ライトバルブ３０〜３２に出力する（ステップＳ２４）。これにより、画像投射部５０は、マスクパターン画像に代えて入力画像をスクリーン９に投射する。そして、図３に示すフローチャートは終了する。
【００４１】
なお、図３に示すフローチャートは、光源部１１の状態の測定前に長さの異なる待機画像投射時間（第１の待機画像投射時間及び第２の待機画像投射時間）を設定しておいて、その後の測定結果に基づいて、マスクパターン画像の投射を解除するタイミングとして実際に参照する一方の待機画像投射時間を決定するという態様を示すものであるが、測定前には待機画像投射時間を設定することなく、測定後に測定結果に基づいて、何れかの待機画像投射時間（第１の待機画像投射時間及び第２の待機画像投射時間）を設定する態様としてもよい。
【００４２】
図４は、プロジェクター１の他の動作の一例を示すフローチャートである。なお、図４に示すフローチャートは、光源部１１の状態の測定後に測定結果に基づいて、何れかの待機画像投射時間（第１の待機画像投射時間及び第２の待機画像投射時間）を設定する態様を示すものである。なお、図４に示すステップＳ１１０、Ｓ１１２、Ｓ１１４、Ｓ１１６、Ｓ１２４は、図３に示すステップＳ１０、Ｓ１２、Ｓ１４、Ｓ１６、Ｓ２４と同一であるため、説明の一部又は全部を省略する。
【００４３】
図４のステップＳ１１６において、ＣＰＵ８２は、光源状態測定部６０から取得した測定結果が閾値以上でないと判断した場合（ステップＳ１１６：Ｎｏ）、第１の待機画像投射時間を設定する（ステップＳ１１８）。一方、ステップＳ１１６において、ＣＰＵ８２は、光源状態測定部６０から取得した測定結果が閾値以上であると判断した場合（ステップＳ１１６：Ｙｅｓ）、第２の待機画像投射時間を設定する（ステップＳ１２０）。
【００４４】
ステップＳ１１８又はステップＳ１２０に続いて、ＣＰＵ８２は、設定した夫々の待機画像投射時間（第１の待機画像投射時間又は第２の待機画像投射時間）を経過したか否かを判断する（ステップＳ１２２）。ＣＰＵ８２は、設定した夫々の待機画像投射時間を経過していないと判断した場合（ステップＳ１２２：Ｎｏ）、設定した夫々の待機画像投射時間を経過したと判断する迄、ステップＳ１２２を繰り返す。一方、ＣＰＵ８２は、設定した夫々の待機画像投射時間を経過したと判断した場合（ステップＳ１２２：Ｙｅｓ）、ステップＳ１２４を実行し、図４に示すフローチャートは終了する。
【００４５】
なお、図３、図４に示すフローチャートは、長さの異なる２個の待機画像投射時間及び１個の閾値を用いるという態様を示しているが、長さの異なるＮ個（Ｎ≧３）の待機画像投射時間及び（Ｎ−１）個の閾値を用いる態様としてもよい。具体的には、図３に示すフローチャートの態様の場合、例えば、４個の待機画像投射時間（待機画像投射時間Ａ＞待機画像投射時間Ｂ＞待機画像投射時間Ｃ＞待機画像投射時間Ｄ）及び３個の閾値（閾値ａ＜閾値ｂ＜閾値ｃ）を設定しておいて、測定結果＜閾値ａであったときは待機画像投射時間Ａを決定し、閾値ａ≦測定結果＜閾値ｂであったときは待機画像投射時間Ｂを決定し、閾値ｂ≦測定結果＜閾値ｃであったときは待機画像投射時間Ｃを決定し、閾値ｃ≦測定結果であったときは待機画像投射時間Ｄを決定する。また、図４に示すフローチャートの態様の場合、例えば、測定結果＜閾値ａであったときは待機画像投射時間Ａを設定し、閾値ａ≦測定結果＜閾値ｂであったときは待機画像投射時間Ｂを設定し、閾値ｂ≦測定結果＜閾値ｃであったときは待機画像投射時間Ｃを設定し、閾値ｃ≦測定結果であったときは待機画像投射時間Ｄを設定する。
【００４６】
なお、図３、図４に示すフローチャートは、決定又は設定した待機画像投射時間が経過したか否かを判断し、マスクパターン画像の投射を解除するタイミングを判断する態様を示しているが、測定結果が閾値未満であるか否かを判断し、マスクパターン画像の投射を解除するタイミングを判断してもよい。即ち、測定結果が閾値未満である間、画像投射部５０にマスクパターン画像を投射させるようにしてもよい。つまり、光源部１１の状態を常にモニターするようにして、閾値以上になる迄、マスクパターン画像を投射し続けるようにしてもよい。
【００４７】
図５は、プロジェクター１の他の動作の一例を示すフローチャートである。なお、図５に示すフローチャートは、光源部１１の状態を常にモニターする態様を示すものである。なお、図５に示すステップＳ２１０、Ｓ２１２、Ｓ２１４、Ｓ２２４は、図３に示すステップＳ１０、Ｓ１２、Ｓ１４、Ｓ２４と同一であるため、説明の一部又は全部を省略する。
【００４８】
図５のステップＳ２１６において、ＣＰＵ８２は、測定結果が閾値未満であると判断した場合（ステップＳ２１６：Ｎｏ）、測定結果が閾値以上であると判断する迄、ステップＳ２１６を繰り返す。一方、ＣＰＵ８２は、測定結果が閾値以上であると判断した場合（ステップＳ２１６：Ｙｅｓ）、ステップＳ２２４を実行し、図５に示すフローチャートは終了する。
【００４９】
なお、光源状態測定部６０は温度センサー６２を有するため、より詳細には、図３〜図５に示すフローチャートのステップＳ１４、Ｓ１１４、Ｓ２１４において、温度センサー６２が、光源部１１の状態として光源部１１の近傍の温度を測定し（ステップＳ１４、Ｓ１１４、Ｓ２１４）、ステップＳ１６、Ｓ１１６、Ｓ２１６において、ＣＰＵ８２は、温度センサー６２から取得した測定温度が閾値以上であるか否かを判断する（ステップＳ１６、Ｓ１１６、Ｓ２１６）。
【００５０】
以上のように、第１の実施形態によるプロジェクター１によれば、起動時に、光源が安定していないことをユーザーに意識させないようにしつつ、なるべく早く入力画像を見せることができる。起動時のある時点に、光源部の状態、即ちスペクトルの安定／不安定の程度を光源状態測定部６０による測定結果として把握し、当該測定結果に応じて、待機画像投射時間を自動調整しているからである。即ち、プロジェクター１によれば、例えば、測定結果が閾値（基準値）未満であって、スペクトルが安定する迄に時間を要するようなときは、長めの待機画像投射時間（第１の待機画像投射時間）を設定して、光源が安定していないことをユーザーに意識させないようにしつつ、測定結果が閾値以上であって、スペクトルが安定する迄に時間を余り要しないようなときは、短めの待機画像投射時間（第２の待機画像投射時間）を設定しているため、なるべく早く入力画像を見せることができる。
【００５１】
なお、光源状態測定部６０が有する温度センサー６２は、光源部１１の近傍の温度を測定すると説明したが、温度センサー６２の測定対象は、起動時における光源光のスペクトルの安定／不安定と相関がある温度であればよい。
【００５２】
（第２の実施形態）
以下、本発明の第２の実施形態について図面を参照して詳細に説明する。図６は、本発明の第２の実施形態に係るプロジェクターの概略構成図である。
【００５３】
図６に示すように、第２の実施形態に係るプロジェクター２は、照明部１０、画像投射部５０、光源状態測定部６１、ランプ駆動回路７０、投射画像制御部８１を有する。光源状態測定部６１は、照度センサー６３（照度測定部）を有する。
【００５４】
光源状態測定部６１は、光源部１１の状態（スペクトルの安定／不安定の程度）を表す測定結果を出力する。より詳細には、光源状態測定部６１が有する照度センサー６３が、測定結果として、光源光の照度に対応する情報を出力する。より詳細には、照度センサー６３は、光源光の照度に対応する情報として、光源部１１による光源光の照度を測定し、測定照度を出力する。例えば、照度センサー６３は、図６に示すように、第２フライアイレンズ１３とダイクロイックミラー２１との間において、ダイクロイックミラー２１に入射する光の照度を測定する。投射画像制御部８１については、図７を用いて説明する。なお、照明部１０、画像投射部５０及びランプ駆動回路７０については、第１の実施形態に係るプロジェクター１と同様であるため説明を省略する。
【００５５】
図７は、本発明の第２の実施形態に係るプロジェクターの機能ブロック図である。図７の破線枠内は、照明部１０及び画像投射部５０のうちの一部を示している。図７に示すように、投射画像制御部８１は、ＣＰＵ８３、ＯＳＤ生成回路８４、スイッチ８５及びパネル駆動回路８６を備え、画像投射部５０を制御する。具体的には、投射画像制御部８１は、光源部１１（ランプ１４）への電力の供給後において画像投射部５０に入力画像を投射させる前に入力画像と異なる所定の待機画像（マスクパターン画像）を投射させる時間である待機画像投射時間を、照度センサー６３による光源部１１による光源光の照度の測定結果に基づいて制御する。なお、ＯＳＤ生成回路８４、スイッチ８５及びパネル駆動回路８６については、第１の実施形態に係るプロジェクター１と同様であるため説明を省略する。
【００５６】
ＣＰＵ８３は、投射画像制御部８１が備える他の回路（ＯＳＤ生成回路８４、スイッチ８５及びパネル駆動回路８６）を制御する。また、ＣＰＵ８３は、ランプ駆動回路８０を制御する。また、ＣＰＵ８３は、照度センサー６３から上述の測定結果を取得する。
【００５７】
具体的には、ＣＰＵ８３は、プロジェクター１の電源起動時に、まず、ＯＳＤ生成回路８４に待機画像を生成するように命令する。ＣＰＵ８３は、スイッチ８５にＯＳＤ生成回路８４から供給される待機画像をパネル駆動回路８６に供給するように命令する。ＣＰＵ８３は、パネル駆動回路８６に待機画像を透過型液晶ライトバルブ３０〜３２に出力するように命令する。ＣＰＵ８３は、ランプ駆動回路８０に起動信号を送信してランプ１４を点燈させる。これにより、透過型液晶ライトバルブ３０〜３２に出力された待機画像は、画像投射部５０によってスクリーン９に投射される。
【００５８】
続いて、ＣＰＵ８３は、光源部１１による光源光の照度の測定結果を照度センサー６３から取得する。ＣＰＵ８３は、照度センサー６３から取得した測定結果が基準値（閾値）未満であった場合、所定の第１の待機画像投射時間を経過する迄、画像投射部５０に待機画像を投射させる。換言すれば、ＣＰＵ８３は、上記測定結果が基準値未満であった場合、第１の待機画像投射時間の経過後に、外部から供給される入力画像をパネル駆動回路８６に供給するようにスイッチ８５に命令するとともに、入力画像を透過型液晶ライトバルブ３０〜３２に出力するようにパネル駆動回路８６に命令する。
【００５９】
一方、ＣＰＵ８３は、上記測定結果が基準値以上であった場合、第１の待機画像投射時間よりも短い所定の第２の待機画像投射時間を経過する迄、画像投射部５０に待機画像を投射させる。換言すれば、ＣＰＵ８３は、上記測定結果が基準値以上であった場合、第１の待機画像投射時間よりも短い第２の待機画像投射時間の経過後に、外部から供給される入力画像をパネル駆動回路８６に供給するようにスイッチ８５に命令するとともに、入力画像を透過型液晶ライトバルブ３０〜３２に出力するようにパネル駆動回路８６に命令する。
【００６０】
つまり、ＣＰＵ８３は、測定照度と、ランプ１４が安定する迄に時間が掛かると判定するための予め定めた基準照度とを比較し、測定照度＜基準照度であったときは、即ち、ランプ１４が安定する迄に時間が掛かると判定したときは、ランプ１４が安定する迄に要する時間として予め定めた長めの待機画像投射時間（第１の待機画像投射時間）の経過時に待機画像の投射を解除し、入力画像をスクリーン９に投射させるようにし、測定照度≧基準照度であったときは、即ち、ランプ１４が安定する迄に時間が掛からないと判定したときは、ランプ１４が安定する迄に要する時間として予め定めた短めの待機画像投射時間（第２の待機画像投射時間）の経過時に待機画像の投射を解除し、入力画像をスクリーン９に投射させるようにしている。
【００６１】
なお、プロジェクター２の動作は、図３〜図５に示した第１の実施形態に係るプロジェクター１と同様であるため説明を省略する。即ち、プロジェクター１のＣＰＵ８２は、光源状態測定部６０から光源部１１の状態を表す測定結果を取得し、測定結果に応じて待機画像投射時間を制御する動作であるのに対し、プロジェクター２のＣＰＵ８３は、光源状態測定部６１から光源部１１の状態を表す測定結果を取得し、測定結果に応じて待機画像投射時間を制御する動作である点が相違し、他の動作は、図３〜図５に示した第１の実施形態に係るプロジェクター１と同様である。つまり、プロジェクター１のＣＰＵ８２は、温度センサー６２から光源部１１の近傍の測定温度を取得し、測定温度に応じて待機画像投射時間を制御する動作であるのに対し、プロジェクター２のＣＰＵ８３は、照度センサー６３から光源部１１による光源光の測定照度を取得し、測定照度に応じて待機画像投射時間を制御する動作である点が相違し、他の動作は、図３〜図５に示した第１の実施形態に係るプロジェクター１と同様である。
【００６２】
以上のように、第２の実施形態によるプロジェクター２によれば、起動時に、光源が安定していないことをユーザーに意識させないようにしつつ、なるべく早く入力画像を見せることができる。なぜならば、照度センサー６３が測定する光源光の照度は、起動時における光源光のスペクトルの安定／不安定と相関があるため、光源光の照度からスペクトルの安定／不安定を把握することができるからである。即ち、プロジェクター２によれば、例えば、測定照度が基準照度（基準値）未満であって、スペクトルが安定する迄に時間を要するようなときは、長めの待機画像投射時間（第１の待機画像投射時間）を設定して、光源が安定していないことをユーザーに意識させないようにしつつ、測定照度が基準照度以上であって、スペクトルが安定する迄に時間を余り要しないようなときは、短めの待機画像投射時間（第２の待機画像投射時間）を設定しているため、なるべく早く入力画像を見せることができる。
【００６３】
なお、照度センサー６３が照度測定する場所において、予め、測定照度とスペクトルの状態との関係を確認しておき、例えば、スペクトルが未だ安定していないときのある基準照度と、当該基準照度のときにスペクトルが安定する迄に要する基準時間とを保持しておき、投射画像制御部８１（ＣＰＵ８３）は、照度センサー６３による測定照度が上記基準照度未満であれば、上記基準時間又は上記基準時間以上の時間を第１の待機画像投射時間とし、照度センサー６３による測定照度が上記基準照度以上であれば、上記基準時間未満の時間を第２の待機画像投射時間とするように、第１及び第２の待機画像投射時間を決めてもよい。
【００６４】
なお、第２の実施形態では、照度センサー６３は、ダイクロイックミラー２１の前の位置において、ダイクロイックミラー２１に入射する光の照度を測定すると説明したが、照度センサー６３の配置場所又は測定する光はこれに限定されない。即ち、照度センサー６３の測定対象は、起動時における光源光のスペクトルの安定／不安定と相関がある光であればよく、例えば、図６において位置Ｐにおいて、ダイクロイックミラー２２を透過した青色光ＬＢの照度を測定してもよい。なお、ランプ１４が水銀ランプである場合、起動時に、青色光ＬＢは、赤色光ＬＲ及び緑色光ＬＧに比べ、弱い若しくは不安定であるため、起動時のランプ１４の安定／不安定を確認するときには、青色光ＬＢの照度を測定するのも有効である。なお、照度センサー６３の前にフィルターを設けることによって、位置Ｐではなく、実施形態に示したダイクロイックミラー２１の前の位置にて、青色光の照度を測定してもよい。但し、上述の如く、照度センサー６３の測定対象は、起動時における光源光のスペクトルの安定／不安定と相関がある光であればよく、色分離合成部２０の構成に応じて、ダイクロイックミラー２１に入射する光、赤色光ＬＲ、緑色光ＬＧなどの光を測定してもよい。
【００６５】
以上のように、第１の実施形態によるプロジェクター１、又は、第２の実施形態によるプロジェクター２によれば、起動時に、光源が安定していないことをユーザーに意識させないようにしつつ、なるべく早く入力画像を見せることができる。換言すれば、プロジェクター１（又はプロジェクター２）によれば、ランプ１４の安定が遅くなりそうなときは、光源が安定していないことをユーザーが認識し難い画像を見せるため、いたずらにユーザーに不安を抱かせるとがなく、一方、ランプ１４の安定が早くなりそうなときは、ユーザーに早く入力画像を見せることができるため、ユーザーの利便性が向上する。
【００６６】
なお、第１の実施形態によるプロジェクター１、及び、第２の実施形態によるプロジェクター２において、測定結果と比較する基準値は、予め、測定温度（又は測定照度）とスペクトルの状態との関係を確認しておき、スペクトルが未だ安定していないときのある基準温度（基準照度）として決定（保持）すると説明したが、ランプ１４の光源光のスペクトルは、使用時間に応じて経時的に変化するため、当該決定した基準値をプロジェクター１（又はプロジェクター２）の使用時間に応じて補正してもよい。
【００６７】
例えば、プロジェクター２において、総稼働時間に応じた補正値を示す補正テーブルを保持させておくとともに、プロジェクター２では総稼働時間を管理（計上及び記憶）し、照度センサー６３から取得した測定結果（測定照度）と、基準値（基準照度）と、上記補正テーブルと、現在の総稼働時間とに基づいて、測定照度＜基準照度（補正後）であったときは、第１の待機画像投射時間の経過時に待機画像の投射を解除し、測定照度≧基準照度（補正後）であったときは、第２の待機画像投射時間の経過時に待機画像の投射を解除し、入力画像をスクリーン９に投射させるようにしてもよい。なお、上記基準照度（補正後）は、現在の総稼働時間に応じた補正値を補正テーブルから読み出して、基準値（基準照度）に補正値を反映させたものである。なお、プロジェクター１においても同様に、測定温度＜基準温度（補正後）であったときは、第１の待機画像投射時間の経過時に待機画像の投射を解除し、測定温度≧基準温度（補正後）であったときは、第２の待機画像投射時間の経過時に待機画像の投射を解除し、入力画像をスクリーン９に投射させるようにしてもよい。
【００６８】
なお、第１の実施形態によるプロジェクター１は光源部１１の近傍の温度を測定し、第２の実施形態によるプロジェクター２は光源部１１による光源光の照度を測定し、それぞれ、測定温度、測定照度に応じて待機画像投射時間を制御したが、測定温度および測定照度を測定し、測定温度および測定照度に応じて待機画像投射時間を制御してもよい。つまり、光源状態測定部は、温度センサー６２および照度センサー６３の両方を有するものであってもよい。
【００６９】
なお、本発明の実施形態では、透過型の液晶ライトバルブ３０〜３２を光変調装置として利用するプロジェクター１、２を例示したが、本発明を限定するものではなく、光変調装置として反射型の液晶ライトバルブを採用することができる。また、色分離合成部は、採用する光変調装置の種類に応じて適宜構成することができる。さらに、光変調装置の数は3個に限らず、1個以上の光変調装置を用いて画像投写部を構成してもよい。
【００７０】
なお、本発明の実施形態によるプロジェクター１、２の各処理を実行するためのプログラムをコンピューター読み取り可能な記録媒体に記録して、当該記録媒体に記録されたプログラムをコンピューターシステムに読み込ませ、実行することにより、本発明の実施形態によるプロジェクター１、２に係る上述した種々の処理を行ってもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００７１】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００７２】
以上、この発明の実施形態について図面を参照して詳述してきたが、具体的な構成はこの実施形態に限られるものではなく、この発明の要旨を逸脱しない範囲の設計等も含まれる。
【符号の説明】
【００７３】
１、２…プロジェクター、９…スクリーン、１０…照明部、１１…光源部、１２…第１フライアイレンズ、１３…第２フライアイレンズ、１４…ランプ、１５…リフレクター、１６、１７…レンズ、２０…色分離合成部、２１、２２…ダイクロイックミラー、２３、２４、２５…反射ミラー、２６、２７、２８…リレーレンズ、２９…リレー系、３０…赤色光用透過型液晶ライトバルブ、３１…緑色光用透過型液晶ライトバルブ、３２…青色光用透過型液晶ライトバルブ、３３…クロスダイクロイックプリズム、４０…投射光学系、４８…投射レンズ、５０…画像投射部、６０、６１…光源状態測定部、６２…温度センサー（温度測定部）、６３…照度センサー（照度測定部）、７０…パネル駆動回路、８０、８１…投射画像制御部、８２、８３…ＣＰＵ、８４…ＯＳＤ生成回路、８５…スイッチ
【図１】
0005541058.tif 000002
【図２】
0005541058.tif 000003
【図３】
0005541058.tif 000004
【図４】
0005541058.tif 000005
【図５】
0005541058.tif 000006
【図６】
0005541058.tif 000007
【図７】
0005541058.tif 000008